(57)【要約】      （修正有）【課題】物品保護の技術分野に関し、特に衝撃保護構造を提供する。【解決手段】柔軟性材料で製造される保護部材１を備え、保護部材は本体部２及びそれぞれ本体部の両側に設けられる２つの挟持部３を備え、挟持部が本体部から屈曲してなり、２つの挟持部が本体部の同一側に位置し、本体部と２つの挟持部が囲んで外部の物品を収容するための収容空間４を形成し、実際に使用する時、保護部材を外部の物品の外側に被覆し、又は保護部材に外部の物品の縁を挟持させて、保護部材で物品の受けた衝撃力を吸収し、物品が衝撃されて破損することを防止するとともに、物品が衝撃された時の衝撃ノイズを低減させ、物品の耐用年数を延長させ、物品の使用体験を向上させる。【選択図】図２
0003225869.tif 000002
【実用新案登録請求の範囲】
【請求項１】
衝撃保護構造であって、柔軟性材料で製造される保護部材を備え、保護部材は、本体部及びそれぞれ本体部の両側に設けられる２つの挟持部を備え、挟持部が本体部から屈曲してなり、２つの挟持部が本体部の同一側に位置し、本体部と２つの挟持部が囲んで外部の物品を収容するための収容空間を形成する、
ことを特徴とする衝撃保護構造。
【請求項２】
挟持部には平滑円弧状部が設けられ、平滑円弧状部は相互に接近する２つの挟持部の一側に位置し、収容空間内の物品に当接する、
ことを特徴とする請求項１に記載の衝撃保護構造。
【請求項３】
本体部に接近する２つの挟持部の一端の間の距離はｂであり、本体部から離れる２つの挟持部の一端の間の距離はａであり、ｂ＞ａである、
ことを特徴とする請求項１に記載の衝撃保護構造。
【請求項４】
保護部材は、挟持部に接続される屈曲耳状部をさらに備え、屈曲耳状部は本体部から離れる挟持部の一端から巻き込むようにされてなり、屈曲耳状部と挟持部との接続箇所が収容空間内の外部の物品に当接する、
ことを特徴とする請求項１に記載の衝撃保護構造。
【請求項５】
屈曲耳状部の自由端が、挟持部と、挟持部に近接する屈曲耳状部の一端との間に位置する、
ことを特徴とする請求項４に記載の衝撃保護構造。
【請求項６】
挟持部が本体部に平滑に遷移して接続され、屈曲耳状部が挟持部に平滑に遷移して接続される、
ことを特徴とする請求項４に記載の衝撃保護構造。
【請求項７】
挟持部には球状ヘッド部が設けられ、球状ヘッド部は本体部から離れる挟持部の一端に位置し、収容空間内の物品に当接する、
ことを特徴とする請求項１に記載の衝撃保護構造。
【請求項８】
本体部には複数の突出が設けられ、複数の突出は本体部の長手方向に配列して設けられ、本体部の外面から一体に突設されてなる、
ことを特徴とする請求項１に記載の衝撃保護構造。
【請求項９】
保護部材は発泡材料で製造される、
ことを特徴とする請求項１に記載の衝撃保護構造。
【請求項１０】
保護部材はポリエチレンフォームプラスチックで製造される、
ことを特徴とする請求項９に記載の衝撃保護構造。
【考案の詳細な説明】
【技術分野】
【０００１】
本考案は、物品保護の技術分野に関し、特に衝撃保護構造を開示する。
【背景技術】
【０００２】
日常生活、工業生産及び建築施工では、様々な物品を用いる必要があり、これらの物品の縁や角が衝撃されると、摩損しやすい。例えば、工業生産では、様々なロッドピース又はパイプピースを用いることが多く、ロッドピース又はパイプピースの輸送では、ロッドピース又はパイプピースが衝撃されて摩損することがある。また例えば、日常生活では、建具は輸送中及び取り付け中に、衝撃されて摩損しやすい。さらに例えば、建築施工と室外のスポーツレジャー施設の施工工事では、使用される足場、取り付けられるドア枠なども衝撃されて摩損しやすい。市場には、衝撃による摩損を回避するために、保護構造を緊急に必要とする。
【考案の概要】
【考案が解決しようとする課題】
【０００３】
従来技術に存在する欠点や不備を克服するために、本考案は、衝撃保護構造を提供することを目的とし、保護部材を外部の物品の外側に被覆し、又は保護部材を外部の物品の縁に挟持して、保護部材で物品の受けた衝撃力を吸収し、物品が衝撃されて破損することを防止するとともに、物品が衝撃された時の衝撃ノイズを低減させ、物品の耐用年数を延長させ、物品の使用体験を向上させる。
【課題を解決するための手段】
【０００４】
上記目的を達成するために、本考案の衝撃保護構造は、柔軟性材料で製造される保護部材を備え、保護部材は、本体部及びそれぞれ本体部の両側に設けられる２つの挟持部を備え、挟持部が本体部から屈曲してなり、２つの挟持部が本体部の同一側に位置し、本体部と２つの挟持部が囲んで外部の物品を収容するための収容空間を形成する。
【０００５】
挟持部には平滑円弧状部が設けられ、円弧状平滑分は相互に接近する２つの挟持部の一側に位置し、収容空間内の物品に当接する。
【０００６】
さらに、本体部に接近する２つの挟持部の一端の間の距離はｂであり、２つの本体部から離れる挟持部の一端の間の距離はａであり、ｂ＞ａである。
【０００７】
保護部材は挟持部に接続される屈曲耳状部をさらに備え、屈曲耳状部は本体部から離れる挟持部の一端から巻き込むようにされてなり、屈曲耳状部と挟持部との接続箇所が収容空間内の外部の物品に当接する。
【０００８】
さらに、屈曲耳状部の自由端は、挟持部と、挟持部に接近する屈曲耳状部の一端の間に位置する。
【０００９】
挟持部が本体部に平滑に遷移して接続され、屈曲耳状部が挟持部平滑に遷移して接続される。
【００１０】
さらに、挟持部には球状ヘッド部が設けられ、球状ヘッド部は本体部から離れる挟持部の一端に位置し、収容空間内の物品に当接する。
【００１１】
本体部には複数の突出が設けられ、複数の突出は本体部の長手方向に配列して設けられ、本体部の外面から一体に突設されてなる。
【００１２】
さらに、保護部材は発泡材料で製造される。
【００１３】
保護部材はポリエチレンフォームプラスチックで製造される。
【考案の効果】
【００１４】
有益な効果は以下のとおりである。実際に使用する時、保護部材を外部の物品の外側に被覆し、又は保護部材に外部の物品の縁を挟持させて、保護部材で物品の受けた衝撃力を吸収し、物品が衝撃されて破損することを防止するとともに、物品が衝撃される時の衝撃ノイズを低減させ、物品の耐用年数を延長させ、物品の使用体験を向上させる。
【図面の簡単な説明】
【００１５】
【図１】図１は本考案の保護部材の下面図である。
【図２】図２は本考案の保護部材の第１実施例の正面図である。
【図３】図３は本考案の保護部材の第２実施例の正面図である。
【図４】図４は本考案の保護部材の第３実施例の正面図である。
【図５】図５は本考案の保護部材の第４実施例の正面図である。
【考案を実施するための形態】
【００１６】
以下、実施例及び図面を参照しながら本考案をさらに説明する。
【００１７】
第１実施例
図１〜図２に示されるように、本考案の衝撃保護構造であって、柔軟性材料で製造される保護部材１を備え、保護部材１の本体形状がストリップ状であり、保護部材１は本体部２及びそれぞれ、相互に離れる本体部２の両側に接続して設けられる２つの挟持部３を備え、挟持部３が本体部２から屈曲してなり、２つの挟持部３が本体部２の同一側に位置し、本体部２と２つの挟持部３が囲んで外部の物品を収容するために広がる収容空間４を形成する。物品が収容空間４内に入れられた後、相互に接近する２つの挟持部３の一側がそれぞれ、相互に離れる物品の左右両側に当接する。実際のニーズに応じて、本体部２は物品の前側に当接できる。
【００１８】
実際に使用する時、保護部材１を外部の物品の外側に被覆し、又は保護部材１に外部の物品の縁の外側を挟持させて、物品の輸送中又は物品の使用中、物品が外部の衝撃を受けると、保護部材１の柔軟特性により、保護部材１で物品の受けた衝撃力を吸収し、物品が衝撃されて破損することを防止するとともに、物品が衝撃された時の衝撃ノイズを低減させ、物品の耐用年数を延長させ、物品の使用体験を向上させる。
【００１９】
挟持部３には平滑円弧状部５が設けられ、平滑円弧状部５は相互に接近する２つの挟持部３の一側に位置し、挟持部３の外面の一部であり、収容空間４内の物品に当接し、２つの挟持部３の平滑円弧状部５は収容空間４内の物品の両側に位置する。
【００２０】
平滑円弧状部５を設置することによって、物品が挟持部３に平滑に接触することを確保し、一方では、挟持部３の角や縁が物品に傷つくことを回避し、他方では、物品を挟持する保護部材１が衝撃されると、保護部材１の挟持部３が物品に対して移動しやすく、挟持部３と物品との間の相対移動でさらに緩衝して衝撃力を吸収し、保護部材１の保護効果を向上させる。
【００２１】
本体部２に接近する２つの挟持部３の一端の間の距離は本体部２から離れる２つの挟持部３の一端の間の距離より大きく、ｂであり、本体部２から離れる２つの挟持部３の一端の間の距離はａであり、ｂ＞ａである。好ましくは、本体部２から離れる２つの挟持部３の一端の間の距離は物品の厚さより小さく、物品が収容空間４内に入れられると、物品が２つの挟持部３を押さえて相互に離れる方向へ移動させ、挟持部３を弾性変形させ、挟持部３が弾性復元力の作用下で物品を挟持し、他の補助ツールを介せずに保護部材１を物品に取り付けることができ、保護部材１と物品との間の取り付け効率又は脱着効率を高める。
【００２２】
保護部材１は、挟持部３に接続される屈曲耳状部６をさらに備え、屈曲耳状部６が本体部２から離れる挟持部３の一端から屈曲して巻き込むようにされてなり、屈曲耳状部６と挟持部３との接続箇所が収容空間４内の外部の物品に当接する。屈曲耳状部６を設置することによって、挟持部３の自由端が物品に当接して物品に傷つくことを回避する。また、屈曲耳状部６を設けることは、挟持部３の長さを増加させることに相当し、物品が２つの挟持部３を押さえて相互に離れさせることは、挟持部３がより大きな弾性変形することに相当し、それにより、大きな弾性力により、挟持部３が物品に当接し、保護部材１が物品を挟持して取り付けられることを確保し、保護部材１が物品から欠落する確率を低下させる。
【００２３】
本実施例では、屈曲耳状部６の横断面の形状が略Ｃ字形であり、屈曲耳状部６の自由端が挟持部３と、挟持部３に近接する屈曲耳状部６の一端との間に位置し、挟持部３、及び挟持部３に近接する屈曲耳状部６の一端を用いて屈曲耳状部６の自由端を仕切り、屈曲耳状部６の自由端の露出を回避し、一方では、屈曲耳状部６の自由端が引っ張られて保護部材１が物品から欠落することを回避し、他方では、屈曲耳状部６の自由端が物品に当接して物品に傷つくことを回避する。
【００２４】
挟持部３が本体部２に平滑に遷移して接続され、屈曲耳状部６が挟持部３に平滑に遷移して接続され、すなわち、挟持部３と本体部２との間が円弧状の遷移接続であり、屈曲耳状部６と挟持部３との間が円弧状の遷移接続であり、円弧状の遷移接続によって、挟持部３と本体部２との間の接続箇所、屈曲耳状部６と挟持部３との間の接続箇所が物品に傷つくことを回避する。
【００２５】
本実施例では、保護部材１は一体式構造であり、保護部材１が複数の部分で組み立てられることに比べて、保護部材１の構造設計コストを簡略化し、保護部材１の製造コストを低減させ、保護部材１の生産効率を高める。
【００２６】
本体部２は円弧状であり、本体部２の横断面形状が円弧状であり、挟持部３は本体部２から本体部２の凹み領域内へ屈曲してなる。本体部２の形状構造設計によって、物品が収容空間４内に入れられると、物品は２つの挟持部３を押さえて相互に離れる方向へ移動させ、挟持部３を弾性変形させながら、２つの挟持部３に近接する本体部２の両端を相互に離れる方向へ移動させて、本体部２を弾性変形させることで、保護部材１が大きな弾性復元力の作用下で物品を挟持し、保護部材１が物品から欠落する確率を低減させ、保護部材１が物品を安定に挟持して取り付けられることを確保する。
【００２７】
保護部材１が発泡材料で製造されることによって、一方では、保護部材１自体の重量を減少させ、保護部材１が重すぎるため物品の輸送又は使用に不必要な面倒をもたらすことを回避し、他方では、保護部材１の製造コストを低減させる。
【００２８】
本実施例では、保護部材１はポリエチレンフォームプラスチックで製造され、ポリエチレンフォームプラスチックの柔軟かつ切断しやすい特性により、保護部材１の加工コストを低減させ、ポリエチレンフォームプラスチックの非吸水性、水蒸気不透過性、防水性の特性により、物品が保護部材１により長時間に被覆されると腐食されて変性することを回避し、また、ポリエチレンフォームプラスチックはさらに、毒性がなく、環境にやさしいなどの特性を有し、保護部材１の付加的な使用性能を高める。
【００２９】
実際のニーズに応じて、保護部材１に装飾層が設けられてもよく、装飾層を用いて保護部材１による、被覆された物品に対する装飾効果を高める。本実施例では、ポリエチレンフォームプラスチックに色素顔料が混合され、保護部材１が製造して成形された後、色素顔料がカラー装飾層を形成し、カラー装飾層を用いて物品に対する装飾効果を達成する。例えば、カラー装飾層は緑色層、紅色層、白色層などである。
【００３０】
第２実施例
図３に示されるように、本実施例では、保護部材１には屈曲耳状部が設けられなくてもよく、本体部２の横断面形状が不規則なＵ字形であり、挟持部３の自由端には球状ヘッド部７が設けられ、球状ヘッド部７は略円球状であり、収容空間４内の物品に当接する。
【００３１】
本実施例の残りの部分は実施例１と同じであり、本実施例では解釈されていない特徴は、すべて実施例１の解釈を用い、ここでは詳細な説明が省略される。
【００３２】
第３実施例
図４に示されるように、本実施例では、保護部材１には屈曲耳状部が設けられず、本体部２の横断面形状が略Ｃ字形であり、挟持部３の自由端には球状ヘッド部７が設けられ、球状ヘッド部７は略円球状であり、収容空間４内の物品に当接する。本体部２には複数の突出８が設けられ、複数の突出８は本体部２の長手方向に配列して設けられ、本体部２の外面から一体に突設されてなり、外部の部材が物品を挟持した保護部材１と接触すると、外部の部材がまず突出８に衝撃し、突出８を用いてさらに衝撃防止効果の向上を補助する。
【００３３】
本実施例の残りの部分は実施例１と同じであり、本実施例では解釈されていない特徴は、すべて実施例１の解釈を用い、ここでは詳細な説明が省略される。
【００３４】
第４実施例
図５に示されるように、本実施例では、保護部材１には屈曲耳状部が設けられず、挟持部３は略円球状である。
【００３５】
本実施例の残りの部分は実施例１と同じであり、本実施例では解釈されていない特徴は、すべて実施例１の解釈を用い、ここでは詳細な説明が省略される。
【００３６】
以上の内容は本考案の好適な実施例にすぎず、本明細書の内容は本考案を限定するものとして理解してはいけない。
【符号の説明】
【００３７】
１  保護部材
２  本体部
３  挟持部
４  収容空間
５  平滑円弧状部
６  屈曲耳状部
７  球状ヘッド部
８  突出
【図１】
0003225869.tif 000003
【図２】
0003225869.tif 000004
【図３】
0003225869.tif 000005
【図４】
0003225869.tif 000006
【図５】
0003225869.tif 000007